(57)【要約】【課題】キャッチ錠が不用意に解除されるおそれがなく、また、ラッチアームの長さを調節可能なキャッチ錠の提供。【解決手段】ラッチ組立体１４は、カム溝孔２７を有する固定部材１６と、固定部材１６と旋回可能に連結される操作レバー部材１８と、摺動ピン１９を介して固定部材１６と連結される可動部材２１と、固定部材１６と操作レバー部材１８との間に介在してこれらに旋回可能に連結されるリンク部材８０とを含む。キャッチ錠１０は、固定部材１６と操作レバー部材１８との連結部を支点とする操作レバー部材１８の旋回動作を、リンク部材８０を介して、可動部材２１をカム溝孔２７に沿ってラッチアーム２２とともにそれらの縦方向Ｙかつ斜め方向への移動動作に変え、これにより、ラッチ部６１とキーパ１５との係合を解除するように構成されている。【選択図】図１
2011111809.tif 000002
【特許請求の範囲】
【請求項１】
縦方向（Ｙ）及び高さ方向（Ｚ）と、第１側（１１）及び第２側（１２）とを有するラッチ組立体（１４）と、キーパ（１５）とを含むキャッチ錠（１０）において、
前記ラッチ組立体（１４）は、
ベース部（２３ａ）の両側において前記第１側から前記第２側へ延びていて前記高さ方向へ突出し頂縁（２３ｃ）を有する側壁（２３ｂ）に、前記第２側における前記側壁の端部近傍から前記第１側へ延びる直状部（２７ａ）と、前記直状部と連なり前記頂縁の側へかつ前記第１側へ斜め方向へ延びる傾斜部（２７ｂ）とから形成されるカム溝孔（２７）を有する固定部材（１６）と、
前記第１側における前記固定部材の端部近傍と旋回可能に連結される操作レバー部材（１８）と、
前記キーパに係合されるラッチ部（６１）とアーム部（６２）とを備えるラッチアーム（２２）を有し、前記カム溝孔に沿って摺動可能に挿通する少なくとも摺動ピン（１９）を介して前記固定部材と連結される可動部材（２１）と、
第１端部（８０ａ）及び第２端部(８０ｂ)を有し、前記第１端部がピン（７５）を介して前記操作レバー部材と旋回可能に連結されるとともに、前記第２端部が前記カム溝孔に挿通する前記摺動ピンと旋回可能に連結されるリンク部材（８０）とを含み、
前記ラッチ部が前記キーパに係合した状態で、前記固定部材と前記操作レバー部材との連結部を支点とする前記操作レバー部材の旋回動作を、前記リンク部材を介して、前記可動部材を前記カム溝孔に沿ってラッチアームとともに前記第１側へ、かつ、前記斜め方向への移動動作に変え、これにより、前記ラッチ部と前記キーパとの係合を解除することを特徴とする前記キャッチ錠。
【請求項２】
前記固定部材は、第１側における前記固定部材の端部に螺旋孔（５４）を有し、前記ラッチアームの前記アーム部は、その少なくとも一部が、前記螺旋孔に前記縦方向へ進退可能に螺合される螺旋部を有する請求項１記載のキャッチ錠。
【請求項３】
前記ラッチ部は、その外形が円筒状に形成されている請求項１または２記載のキャッチ錠。
【発明の詳細な説明】
【技術分野】
【０００１】
本発明は、例えば、配電盤の収納ボックス等の筺体に使用される、いわゆるパッチン錠と同類の範疇に属するキャッチ錠に関する。
【背景技術】
【０００２】
特許文献１に開示された掛金装置は、筐体本体に取り付けられたベース板と、蓋体に取り付けられた受け金と、ベース板の一端部に横断枢軸を介して旋回可能に連結された操作レバーと、操作レバーを付勢するばねと、操作レバーに連結された、受け金に係止される先端フック部を備える掛金アームとを有する。
【先行技術文献】
【特許文献】
【０００３】
【特許文献１】実公平０６−４３４１４号公報
【発明の開示】
【発明が解決しようとする課題】
【０００４】
本発明の一つの目的は、前記ばね不要であるキャッチ錠を提供することにある。本発明のもう一つの目的は、ラッチアームのラッチ部とキーパと間の該ラッチアームの長さを調整可能なキャッチ錠を提供することにある。
【課題を解決するための手段】
【０００５】
前記課題を解決するための手段として、本発明は、縦方向（Ｙ）及び高さ方向（Ｚ）と、第１側（１１）及び第２側（１２）とを有するラッチ組立体（１４）と、キーパ（１５）とを含むキャッチ錠（１０）の改良に関わる。
【０００６】
本発明は、前記ラッチ組立体（１４）は、ベース部（２３ａ）の両側において前記第１側から前記第２側へ延びていて前記高さ方向へ突出し頂縁（２３ｃ）を有する側壁（２３ｂ）に、前記第２側における前記側壁の端部近傍から前記第１側へ延びる直状部（２７ａ）と、前記直状部と連なり前記頂縁の側へかつ前記第１側へ斜め方向へ延びる傾斜部（２７ｂ）とから形成されるカム溝孔（２７）を有する固定部材（１６）と、前記第１側における前記固定部材の端部近傍と旋回可能に連結される操作レバー部材（１８）と、前記キーパに係合されるラッチ部（６１）とアーム部（６２）とを備えるラッチアーム（２２）を有し、前記カム溝孔に沿って摺動可能に挿通する少なくとも摺動ピン（１９）を介して前記固定部材と連結される可動部材（２１）と、第１端部（８０ａ）及び第２端部（８０ｂ）を有し、前記第１端部がピン（７５）を介して前記操作レバー部材と旋回可能に連結されるとともに、前記第２端部が前記カム溝孔に挿通する前記摺動ピンと旋回可能に連結されるリンク部材（８０）とを含み、前記ラッチ部が前記キーパに係合した状態で、前記固定部材と前記操作レバー部材との連結部を支点とする前記操作レバー部材の旋回動作を、前記リンク部材を介して、前記可動部材を前記カム溝孔に沿ってラッチアームとともに前記第１側へ、かつ、前記斜め方向への移動動作に変え、これにより、前記ラッチ部と前記キーパとの係合を解除することを特徴とする。
【０００７】
本発明は、前記特徴とする構成のほかに、以下の好ましい実施の形態を含む。
（１）前記固定部材は、第１側における前記固定部材の端部に螺旋孔（５４）を有し、前記ラッチアームの前記アーム部は、その少なくとも一部が、前記螺旋孔に前記縦方向へ進退可能に螺合される螺旋部を有する。
（２）前記ラッチ部は、その外形が円筒状に形成されている。
【発明の効果】
【０００８】
本発明に係るキャッチ錠によれば、従来のそれとは異なり、操作レバー部材を付勢するばねが不要である。さらに、好ましい実施形態によれば、ラッチアームのラッチ部とキーパとの間における該ラッチアームの長さが調節可能である。したがって、前記目的を達成することができる。
【図面の簡単な説明】
【０００９】
【図１】キャッチ錠を筺体に取り付けて施錠した状態を示す斜視図。
【図２】キャッチ錠の解錠状態を示す斜視図。
【図３】キャッチ錠の分解斜視図。
【図４】図１のＩＶ−ＩＶ線断面図。
【発明を実施するための形態】
【００１０】
図１は、キャッチ錠１０を筺体１３に取り付けて施錠した状態を示す斜視図、図２は、キャッチ錠１０の解錠状態を示す斜視図、図３は、キャッチ錠１０の分解斜視図、図４は、図１のＩＶ−ＩＶ線断面図である。なお、図４では、キャッチ錠１０の解錠状態を仮想線で示している。
【００１１】
図１〜図３を参照すると、キャッチ錠１０は、横方向Ｘ、縦方向Ｙ及び高さ方向Ｚと、横方向Ｘを二等分する中心軸Ｐとを有する。キャッチ錠１０は、中心軸Ｐに関して対称に形成されている。キャッチ錠１０は、第１側及び第２側１１，１２を有し、筐体１３の本体１３ａに固定されるラッチ組立体１４と、筐体１３の蓋体１３ｂに固定されるキーパ１５とを含む。
【００１２】
ラッチ組立体１４は、固定部材１６と、固定部材１６に旋回可能に連結される操作レバー部材１８と、操作レバー部材１８の旋回操作により、リンク部材８０を介して、縦方向Ｙと、高さ方向Ｚおよび斜め方向へ移動させられる、ラッチアーム２２を有する可動部材２１とを含む。なお、図示例とは異なり、ラッチ組立体１４が蓋体１３ｂに、キーパ１５が筐体本体１３ａにそれぞれ取り付けられてもよい。
【００１３】
固定部材１６は、ベース部２３ａと、ベース部２３ａの両側において第１側１１から第２側１２へ延びていて高さ方向Ｚへ突出し頂縁２３ｃを有する側壁２３ｂとを有する。側壁２３ｂには、第１側１１における側壁２３ｂの端部近傍にピン１７が挿通するピン孔２４と、第２側１２における、別に備える錠のラッチ（図示せず）を通す透孔２５と、ピン孔２４と隣接しピン７５の端部の移動を許す受け入れ凹部２６と、受け入れ凹部２６と透孔２５との間において縦方向Ｙへ延び、ピン（摺動ピン）１９，２０の摺動を案内するカム溝孔２７とが形成されている。ベース部２３ａには、ビス（図示せず）を通すためのビス孔２８が形成され、固定部材１６は該ビスを介して筐体１３の本体１３ａに固定される。
【００１４】
カム溝孔２７は、第２側１２における側壁２３ｂの端部近傍から第１側１１へ延びる直状部２７ａと、直状部２７ａと連なり頂縁２３ｃの側へかつ第１側１１への斜め方向へ延びる傾斜部２７ｂとから形成されている。カム溝孔２７には、それに沿って摺動するピン１９,２０が挿通されている。
【００１５】
キーパ１５は、ビス孔４０ａが形成された固定部４０と、固定部４０から高さ方向Ｚへ、ラッチアーム２２のラッチ部６１が係合する曲面になるように延びる係合部４１とを有する。係合部４１には、ラッチアーム２２のアーム部６２の移動を許す受け入れ凹部４２が形成されている。
【００１６】
操作レバー部材１８は、縦方向Ｙに延びる頂部７０と、頂部７０の両側から固定部材１６のベース部２３ａへ突出する側壁７１とを有する。縦方向Ｙにおける各側壁７１の中央部に凹部７２と、第１側１１における端部にピン１７が挿通されるピン孔７４と、凹部７２とピン孔７４との間にピン７５が挿通されるピン孔７６とが形成されている。操作レバー部材１８は、両側壁７１が固定部材１６の両側壁２３ｂの内側に位置し、その状態で、ピン孔２４，７４に挿通するピン１７を介して固定部材１６に旋回可能に連結され、ピン１７の端部にはリング８７が固定されている。この実施形態では、操作レバー部材１８は、その倒伏状態で、高さ方向Ｚへほぼ４５°〜４７°だけ旋回可能とされている。第２側１２における側壁７１の端部には、別に備える錠のラッチ（図示せず）を固定部材１６の透孔２５との合致状態で挿通する透孔７７が形成されている。第２側１２側における頂部７０の端部には、操作者が指を掛けて操作レバー部材１８を旋回操作するためのタブ７８が形成されている。
【００１７】
可動部材２１は、平面視においてほぼＵ字形の周壁５０を有し、周壁５０が固定部材１６の側壁２３ｂの外側に位置している。第１側１１寄りの周壁５０の部位には、ピン１７の端部の移動を許す受け入れ凹部５１が形成されている。第１側における周壁５０の端部５０ａには、キーパ１５へ向かって突出する保持部５３が形成されている。保持部５３は、螺旋孔５４を有し、周壁部５０の端部５０ａの開口部５３ａ（図４参照）と連通している。第２側１２における周壁５０の端部には、固定部材１６のカム溝孔２７に摺動可能に挿通されているピン１９，２０がそれぞれ挿通するピン孔５５，５６が形成されている。可動部材２１は、ピン１９，２０を介して固定部材１６に縦方向Ｙへ移動可能に連結されている。ただし、ピン２０は、その連結に不可欠要素ではない。また、錠止状態において、ピン１７の端部に固定されたリング８７が、受け入れ凹部５１の第１側１１の曲状部５１ａの内周面と当接または対向しているので、筐体１３の本体１３ａと蓋体１３ｂとの高さ方向Ｚにおけるがた付きを防止することができる。
【００１８】
ラッチアーム２２は、平面視においてほぼＴ字形であって、キーパ１５と対向し、第１側１１に位置する外形が円筒状のラッチ部６１と、ラッチ部６１のほぼ中央部から縦方向Ｙに延び、その外周面にねじ山（螺旋部）が形成されているアーム部６２とを有する。ラッチアーム２２は、アーム部６２が、可動部材２１の螺旋孔５４に進退可能に螺合することで可動部材２１に連結されている。したがって、操作者がラッチ部６１を指で摘んでラッチアーム２２を所定の方向へ回転させて螺合位置を変えて、端部５０ａからキーパ１５の側へ延出するアーム２２の長さＬを自由に調整することができる。このため、キーパ１５及び／又は固定部材１６の配置位置に多少の誤差が生じても、ラッチアーム２２のアーム部６２の長さを調整することによって、ラッチ部６１をキーパ１５に確実に係止することができる。ただし、そのようにラッチアーム２２のアーム部６２を調整可能にされていることが好ましいが、場合により、調整不可能にされていてもよい。
【００１９】
リンク部材８０は、両側にピン受部８１と、両ピン受部８１間のブリッジ８２とを有する。両ピン受部８１は、第１端部８０ａと、これと離間する第２端部８０ｂとを有する。第１端部８０ａにはピン７５が挿通されるピン孔８４が、第２端部８０ｂにはカム溝孔２７に挿通されるピン１９が挿通するピン孔８５がそれぞれ形成されている。リンク部材８０は、固定部材１６と操作レバー部材１８との間に介在するとともに、第１端部８０ａが第１側１１における操作レバー部材１８の側壁７１の端部の内側に位置し、ピン孔７６，８４の合致状態でこれらに挿通するピン７５を介して、操作レバー部材１８に連結されている。また、第２端部８０ｂが操作レバー部材１８と旋回可能に連結されるとともに、カム溝孔２７に挿通するピン１９と旋回可能に連結されている。
【００２０】
以上の構成を有する本発明の実施形態に係るキャッチ錠１０によれば、下記の機能を有する。
図１及び図４に示す錠止状態において、操作者が操作レバー部材１８のタブ７８に指を掛けて、ピン１７を支点として操作レバー部材１８を時計方向へ旋回させると、リンク部材８０がピン１９，７５を介して反時計方向へ僅かに旋回し、それと同時に、ピン１９，２０が固定部材１６のカム溝孔２７の直状部２７ａに沿って縦方向Ｙへ摺動するとともに、ピン１９がカム溝孔２７の傾斜部２７ｂへ摺動して停止する。したがって、可動部材２１はラッチアーム２２とともに縦方向Ｙへ摺動するとともに、固定部材１６の側壁２３ｂの頂縁２３ｃの側へかつ第１側１１への斜め方向へ摺動する。したがって、可動部材２１は、ラッチアーム２２とともに、ピン１９,２０を支点として高さ斜め方向へ浮き上がった状態になる。このため、ラッチアーム２２のラッチ部６１のキーパ１５に対する係合が解除される。
【００２１】
操作レバー部材１８を反時計方向へ旋回させると、換言すると、前記操作とは逆に操作すると、操作レバー部材１８と、可動部材２１及びラッチアーム２２と、リンク部材８０とは、それぞれ原状に復帰する。なお、キャッチ錠１０の錠止時には、固定部材１６の透孔２５及び操作レバー部材１８の透孔７７の合致状態で、例えば、南京錠のラッチを挿通し、キーでその南京錠を施錠される。
【００２２】
本発明の実施形態によれば、ばね部材を用いることなく、操作レバー部材１８と、ラッチアーム２２を備える可動部材２１とは、リンク部材８０を介して連結されているので、従来の技術とは異なり、ばねの付勢などによって操作レバー部材１８が不用意に動作してラッチ錠１０が解錠されるおそれはない。さらに、ラッチアーム２２のアーム部６２が可動部材２１の端部に対して進退可能に螺合する場合には、該端部とキーパ１５との間の距離を調整することができ、実用上きわめて便利である。
【符号の説明】
【００２３】
１０    キャッチ錠
１１    第１側
１２    第２側
１３    筐体
１３ａ  筐体本体
１３ｂ  蓋体
１４    ラッチ組立体
１５    キーパ
１６    固定部材
１８    操作レバー部材
１９    摺動ピン
２１    可動部材
２２    ラッチアーム
２３    側壁
２３ａ  ベース部
２３ｃ  頂縁
２７    カム溝孔
２７ａ  カム溝孔の直状部
２７ｂ  カム溝孔の傾斜部
５４  螺旋孔
６１  ラッチ部
６２  アーム部
７５    ピン
８０    リンク部材
８０ａ  リンク部材の第１端部
８０ｂ  リンク部材の第２端部
Ｙ      縦方向
Ｚ      高さ方向
【図１】
2011111809.tif 000003
【図２】
2011111809.tif 000004
【図３】
2011111809.tif 000005
【図４】
2011111809.tif 000006